(57)【要約】【課題】高さが低い天井裏に容易に収容して取り付けることができる照明器具を提供する。【解決手段】光源３０を収容し被取付部１１に取り付けられる器具本体２０の上側には、全体が略直方体形状の電源部用筐体４１を有する電源部４０が取り付けられる。そして、略直方体形状の電源部用筐体４１は、底面４２と長手方向一端側の側面４４との境界に斜面４６を設け、斜面４６が光源３０の回路基板３１に対して平行となるよう配置した。従って、電源部用筐体４１は、斜面４６が器具本体２０に平行に取り付けられ、長手方向他端側が上側に位置するように傾斜して取り付けられる。このため、照明器具１０を取り付ける際に、電源部用筐体４１の長手方向他端側から取付穴１２に挿入することにより、電源部用筐体４１が天井裏１１１の部材や取付穴１２に当接することなく容易に取り付けることができる。【選択図】図２
2014222586.tif 000002
【特許請求の範囲】
【請求項１】
光源を収容し被取付部に取り付けられる器具本体と、
前記器具本体の上側に取り付けられる電源部と、
前記電源部を収容する電源部用筐体と、を有し、
前記電源部用筐体は、全体が略直方体形状であって、底面と側面との境界に斜面を有し、
前記斜面が前記光源の回路基板に対して平行となるように取り付けられている照明器具。
【請求項２】
請求項１に記載の照明器具において、
前記電源部用筐体の前記斜面と平行な面と、前記電源部用筐体の上面との挟み角度が１５度以下である照明器具。
【発明の詳細な説明】
【技術分野】
【０００１】
本発明は、天井面等に設けられている取付穴に埋め込んで使用する照明器具に関するものである。
【背景技術】
【０００２】
従来、天井面等に設けられている取付穴に埋め込んで下方を照明する埋込型の照明器具が知られている（例えば、特許文献１参照）。
図５に示すように、特許文献１に記載の照明器具１００は、所謂埋込型の照明器具であって、高さ方向中央に取付板１０１を有する。取付板１０１は、放熱性を有する、例えばアルミ等の金属材料から略円柱板状に形成されている。
取付板１０１の下側には、ＬＥＤを有する光源ブロック（図示省略）を収容する灯具本体１０２が取り付けられている。灯具本体１０２は略円柱形状をしており、内部には、反射板（図示省略）が収容されている。また、外周面には、複数の固定ばね１０３が取り付けられている。
【０００３】
取付板１０１の上面の後側（図５において右側）半分には、灯具本体１０２のＬＥＤが発する熱を放出するフィン状の放熱ブロック１０４が設けられている。
取付板１０１の上面の前側（図５において左側）半分には、ＬＥＤに点灯電力を供給するための電源ブロック１０５が設けられている。電源ブロック１０５は、略矩形箱型のケース１０６を有する。ケース１０６の前部には、商用電源（図示省略）に接続して受電するためのコネクタブロック１０７が取り付けられている。
【先行技術文献】
【特許文献】
【０００４】
【特許文献１】特開２０１１−２２８０９８号公報（第１図）
【発明の概要】
【発明が解決しようとする課題】
【０００５】
しかしながら、前述したような従来の照明器具１００においては、図６に示すように、取り付ける際に、電源ブロック１０５の後側（図６において右側）から取付穴１０９に挿入する。
この際、天井裏１０８の高さＨが低い場合には、電源ブロック１０５の上面の後端Ｐ１が天井裏１０８の構造部材１１０に当たったり、電源ブロック１０５の上面の前端Ｐ２が取付穴１０９の周部に当たったりして作業性が悪いという問題があった。
【０００６】
本発明は、従来の問題を解決するためになされたもので、高さが低い天井裏に容易に収容して取り付けることができる照明器具を提供することを目的とする。
【課題を解決するための手段】
【０００７】
本発明の照明器具は、光源を収容し被取付部に取り付けられる器具本体と、前記器具本体の上側に取り付けられる電源部と、前記電源部を収容する電源部用筐体と、を有し、前記電源部用筐体は、全体が略直方体形状であって、底面と側面との境界に斜面を有し、前記斜面が前記光源の回路基板に対して平行となるように取り付けられているものである。
【０００８】
また、本発明の照明器具は、前記電源部用筐体の前記斜面と平行な面と、前記電源部用筐体の上面との挟み角度が１５度以下であるものである。
【発明の効果】
【０００９】
本発明では、電源部用筐体に設けられている斜面が、光源の回路基板と平行に取り付けられ、電源部用筐体は長手方向他端側が上側に位置するように傾斜して取り付けられる。このため、照明器具を取り付ける際に、電源部用筐体の長手方向他端側から取付穴に挿入することにより、電源部用筐体が天井裏の部材や取付穴に当接するのを防止して容易に取り付けることができるという効果を有する照明器具を提供できる。
【図面の簡単な説明】
【００１０】
【図１】（Ａ）は本発明に係る実施形態の照明器具を上方から見た斜視図であり、（Ｂ）は実施形態の照明器具を下方から見た斜視図
【図２】本発明に係る実施形態の照明器具を鉛直方向に切断した縦断面図
【図３】電源部用筐体の断面図
【図４】照明器具を天井面の取付穴に挿入する状態を示す断面図
【図５】従来の照明器具の斜視図
【図６】従来の照明器具における問題点を説明する断面図
【発明を実施するための形態】
【００１１】
以下、本発明に係る実施形態の照明器具について、図面を用いて説明する。
図１（Ａ）、図１（Ｂ）に示すように、実施形態の照明器具１０は、被取付部である天井面１１に取り付けられる器具本体２０と、器具本体２０の上側に取り付けられる電源部４０とを有する。
【００１２】
図２に示すように、器具本体２０は、上下に開口した円柱形状の筒部２１を有し、筒部２１の内部には、上部中央に光源取付台２２が設けられている。
光源取付台２２の外周部から筒部２１の下端部に向かって、反射板２３が設けられている。反射板２３は円錐台形状をしており、内面が反射面２３１となっている。
筒部２１の下端部には、水平方向外側に張り出した円環枠状の鍔部２４が設けられている。鍔部２４の上面には、全周にわたってパッキン２５が貼付けられている。
【００１３】
図１（Ａ）、図１（Ｂ）に示すように、筒部２１の外周面２１１には、所定間隔で複数個（ここでは、例えば２個）のばね取付部２６が設けられており、ばね取付部２６には、取付ばね２７が取り付けられる。
取付ばね２７は、取付部２７１と支持部２７２とから、全体略Ｌ字形状をしている。取付ばね２７は、取付部２７１を筒部２１のばね取付部２６に挿入することにより、器具本体２０に取り付けられる。
取付ばね２７は、常時下方へ付勢されている（図１（Ａ）中矢印Ａ参照）。
【００１４】
図２に示すように、光源取付台２２には、ＬＥＤ基板（回路基板）３１の実装面に、ＬＥＤチップ３２を実装して封止したＬＥＤパッケージ（光源）３０が取り付けられる。
ＬＥＤパッケージ３０は、ＬＥＤ基板３１が略水平になるように、光源取付台２２に取り付けられ、ＬＥＤチップ３２の光は、下方へ照射される。
ここで、水平とは、筒部２１の中心軸ＣＬに対して直交する方向を云う。
【００１５】
ＬＥＤ基板３１は、光源取付台２２の支持板２２１の下面に面接触して取り付けられる。支持板２２１は、下方に向かって狭くなる円錐台形状をしており、支持板２２１の上側には、空間Ｓ２が形成されている。
従って、ＬＥＤパッケージ３０が発した熱は、ＬＥＤ基板３１から支持板２２１を介して光源取付台２２に伝達され、さらに器具本体２０に伝達されて放熱される。
【００１６】
図２に示すように、電源部４０は、電源部用筐体４１を有する。電源部用筐体４１は、互いに平行な底板４２と天板４３を有する。また、長手方向端面には、器具本体中央側の前端板４４と、外側の後端板４５を有する。従って、電源部用筐体４１は、全体として略直方体箱状に形成される。
図２および図３に示すように、電源部用筐体４１における前端板４４と底板４２とが交わる隅部には、傾斜板（斜面）４６が設けられている。傾斜板４６は、前端板４４側が高くなるように傾斜している。なお、天板４３と前端板４４とが交わる隅部にも、傾斜面４７を設けても良い。
【００１７】
図３に示すように、電源部用筐体４１の傾斜板４６と平行な面４６１と、天板４３との挟み角度θ１は、１５度以下に設定される。
ここでは、天板４３と底板４２とが平行なので、挟み角度θ１は、傾斜板４６と底板４２との挟み角度θ２と同じである。
【００１８】
図２に示すように、電源部用筐体４１の後端板４５には、天井裏１１１に配線されている商用電源（図示省略）と接続するためのコネクタ部４８が設けられている。
コネクタ部４８の内側（図２において左側）には、電源部回路基板４９が天板４３と平行に設けられている。電源部回路基板４９の下面には、種々の電子部品４９１が取り付けられている。
なお、前端板４４の内側には、電源部回路基板４９との間に空間Ｓ１が設けられている。これにより、電源部用筐体４１の容積が増加するため、電源部４０の温度上昇を抑える効果がある。例えば、従来の電源部では、電源部回路基板の温度が８６．９℃であったものが、本実施形態の電源部４０では、電源部回路基板４９の温度が８５．５℃に抑えられた。
【００１９】
電源部４０は、傾斜板４６を光源取付台２２の上に配置して、器具本体２０に取り付けられる。
従って、傾斜板４６は、ＬＥＤ基板３１と水平に取り付けられるので、電源部用筐体４１は、傾斜角度θ１で後端板４５側が高くなるように傾斜して取り付けられる。
なお、電源部用筐体４１の内部において、ＬＥＤ基板３１の真上には、空間Ｓ１が位置することになる。このため、ＬＥＤ基板３１が発する熱によって、電源部４０の電子部品４９１が加熱されるのを防止できる。
【００２０】
次に、照明器具１０を天井面１１の取付穴１２に取り付ける取付動作について説明する。
図４に示すように、まず、照明器具１０の電源部４０の後端板４５側を取付穴１２に挿入する（図４中矢印Ａ参照）。このとき、取付ばね２７の先端部を上方へ移動させて（図１（Ａ）中Ｂ方向）、取付穴１２に挿入する。その後、取付ばね２７を放して、自由にする。
【００２１】
次いで、電源部４０の後端板４５側を天井面１１に近づける方向へ回転させる（図４中矢印Ｂ参照）。
これにより、器具本体２０の筒部２１が取付穴１２に挿入され、鍔部２４が取付穴１２の周辺の天井面１１に当接する。この状態で、取付ばね２７が弾性変形するので、天井面１１を鍔部２４と取付ばね２７の間に挟持して、照明器具１０を固定する。
【００２２】
照明器具１０の作用効果について説明する。
図２に示すように、ＬＥＤパッケージ３０を収容し天井面１１に取り付けられる器具本体２０の上側には、全体が略直方体形状の電源部用筐体４１を有する電源部４０が取り付けられる。
そして、略直方体形状の電源部用筐体４１には、底板４２と前端板４４との境界に傾斜板４６を設け、傾斜板４６がＬＥＤパッケージ３０のＬＥＤ基板３１に対して平行となるよう配置した。
従って、電源部用筐体４１は、傾斜板４６が器具本体２０に平行に取り付けられ、後端板４５側が上側に位置するように傾斜して取り付けられる。
このため、照明器具１０を高さが低い天井裏１１１に取り付ける際に、電源部用筐体４１の後端板４５から取付穴１２に挿入することにより、電源部用筐体４１が天井裏１１１の部材や取付穴１２に当接するのを防止して、容易に取り付けることができる。
【００２３】
また、照明器具１０は、図３に示すように、電源部用筐体４１の傾斜板４６と平行な面４６１と、電源部用筐体４１の天板４３との挟み角度θ１が１５度以下となるように設定した。
これにより、天井裏１１１の高さが低い場合でも容易に取り付けることができる。
【００２４】
本発明の照明器具は、前述した実施形態に限定されるものでなく、適宜な変形、改良等が可能である。
例えば、前述した実施形態においては、光源として１個のＬＥＤパッケージを有する場合を例示したが、これに限るものではない。すなわち、本発明の照明器具は、複数個のＬＥＤパッケージを有する場合にも適用可能である。
【符号の説明】
【００２５】
１０  照明器具
１１  天井面（被取付部）
２０  器具本体
３０  ＬＥＤパッケージ（光源）
３１  ＬＥＤ基板（回路基板）
４０  電源部
４１  電源部用筐体
４２  底板（底面）
４４  前端板（側面）
４６  傾斜板（斜面）
４６１  平行な面
θ１  挟み角度
【図１】
2014222586.tif 000003
【図２】
2014222586.tif 000004
【図３】
2014222586.tif 000005
【図４】
2014222586.tif 000006
【図５】
2014222586.tif 000007
【図６】
2014222586.tif 000008